(57)【要約】【課題】充電中に温度異常が発生した場合に、そのことをユーザに的確に知らせる。【解決手段】充電装置２０は、充電中の二次電池２３の温度ＴＢが充電を実行する正常温度、または充電を中止する異常温度であるかを繰り返し判断する充電状態判断部３１と、情報を表示する表示部１６と、充電状態判断部３１により異常温度が判断された場合、充電中に異常温度が発生したことを通知する通知情報を表示部１６に表示する表示制御部３６と、操作部１２とを有する。そして、表示制御部３６は、表示部１６に通知情報を表示している場合に充電状態判断部３１により正常温度が判断されても表示部１６での通知情報の表示を継続し、操作部１２に対する操作がなされた場合に、表示部１６による通知情報の表示を終了する。【選択図】図９
2010200509.tif 000002
【特許請求の範囲】
【請求項１】
充電中の二次電池の温度が充電を実行する正常温度、または充電を中止する異常温度であるかを繰り返し判断する充電状態判断部と、
情報を表示する表示部と、
前記充電状態判断部により異常温度が判断された場合、充電中に異常温度が発生したことを通知する通知情報を前記表示部に表示する表示制御部と、
操作部と
を有し、
前記表示制御部は、
前記表示部に前記通知情報を表示している場合に前記充電状態判断部により正常温度が判断されても前記表示部での前記通知情報の表示を継続し、
前記操作部に対する操作がなされた場合に、前記表示部による前記通知情報の表示を終了する
充電装置。
【請求項２】
前記表示制御部は、
前記操作部に対する操作に基づいて前記通知情報の表示を終了した後に、前記充電状態判断部により再び異常温度と判断された場合、前記表示部に前記通知情報を表示しない
請求項１記載の充電装置。
【請求項３】
前記充電状態判断部は、
前記二次電池が満充電状態であるか否かを判断し、
前記表示制御部は、
前記充電状態判断部により満充電状態が判断された場合、前記操作部に対する操作がなされていなくても、前記表示部による前記通知情報の表示を終了する
請求項１または２記載の充電装置。
【請求項４】
前記充電状態判断部による温度異常の判断結果を蓄積するログデータを記憶する記憶部を有し、
前記表示制御部は、
起動時に前記ログデータを読み込み、
当該起動直前の電源オフ期間において前記充電状態判断部により異常温度が判断されている場合、起動時に前記通知情報を前記表示部に表示する
請求項１から３のいずれか一項記載の充電装置。
【請求項５】
前記二次電池が配設される筐体と、
前記筐体内に配設され、前記表示部と前記操作部とが接続され、プログラムを実行することで前記充電状態判断部および前記表示制御部を実現する処理回路と
を有し、
前記充電状態判断部は、
前記充電状態判断部により低温の異常温度が判断された場合、前記処理回路の負荷または動作周波数を増やして前記二次電池の温度を上昇させる
請求項１から４のいずれか一項記載の充電装置。
【請求項６】
前記二次電池を充電し、前記二次電池の温度が充電を停止する前記異常温度である場合には充電を停止する充電部を有する
請求項１から５のいずれか一項記載の充電装置。
【発明の詳細な説明】
【技術分野】
【０００１】
本発明は、二次電池を充電する充電装置に関する。
【背景技術】
【０００２】
特許文献１は、携帯用電子機器の筐体内にセンサ部を設け、筐体内における温度、湿度などの状態を検出し、検出結果に応じたキャラクタ画像を表示部に表示する携帯用電子機器が開示されている。
【先行技術文献】
【特許文献】
【０００３】
【特許文献１】特開２００２−９０３２６号公報
【発明の概要】
【発明が解決しようとする課題】
【０００４】
しかしながら、特許文献１では、センサ部の検出に応じて表示を切り替える構成であるため、センサ部が新たな状態を検出したら、その新たな検出に応じて表示も新たな表示に切り替わることになる。
【０００５】
そのため、たとえば充電中の携帯用電子機器の筐体内の温度が通常の温度から充電仕様の限界（高温または低温）を超えて、充電を停止する制御を実施する場合において、ユーザに対して的確に報知できないことがある。
たとえば充電中に温度異常が発生して充電を停止した後、正常な温度に復帰して充電が再開された場合、センサ部は、正常な温度検出に応じて表示を正常な温度検出の表示に切り替えてしまう。
その結果、充電再開後にユーザが表示を確認しても、ユーザは充電中に温度異常が発生していたことを知ることはできない。
【０００６】
本発明は、充電中に温度異常が発生した場合に、そのことをユーザに的確に知らせる充電装置を提供する。
【課題を解決するための手段】
【０００７】
本発明の第１の観点の充電装置は、充電中の二次電池の温度が充電を実行する正常温度、または充電を中止する異常温度であるかを繰り返し判断する充電状態判断部と、情報を表示する表示部と、前記充電状態判断部により異常温度が判断された場合、充電中に異常温度が発生したことを通知する通知情報を前記表示部に表示する表示制御部と、操作部とを有し、前記表示制御部は、前記表示部に前記通知情報を表示している場合に前記充電状態判断部により正常温度が判断されても前記表示部での前記通知情報の表示を継続し、前記操作部に対する操作がなされた場合に、前記表示部による前記通知情報の表示を終了する。
【０００８】
好適には、前記表示制御部は、前記操作部に対する操作に基づいて前記通知情報の表示を終了した後に、前記充電状態判断部により再び異常温度と判断された場合、前記表示部に前記通知情報を表示しなくてもよい。
【０００９】
好適には、前記充電状態判断部は、前記二次電池が満充電状態であるか否かを判断し、前記表示制御部は、前記充電状態判断部により満充電状態が判断された場合、前記操作部に対する操作がなされていなくても、前記表示部による前記通知情報の表示を終了してもよい。
【００１０】
好適には、前記充電状態判断部による温度異常の判断結果を蓄積するログデータを記憶する記憶部を有し、前記表示制御部は、起動時に前記ログデータを読み込み、当該起動直前の電源オフ期間において前記充電状態判断部により異常温度が判断されている場合、起動時に前記通知情報を前記表示部に表示してもよい。
【００１１】
好適には、前記二次電池が配設される筐体と、前記筐体内に配設され、前記表示部と前記操作部とが接続され、プログラムを実行することで前記充電状態判断部および前記表示制御部を実現する処理回路とを有し、前記充電状態判断部は、前記充電状態判断部により低温の異常温度が判断された場合、前記処理回路の負荷または動作周波数を増やして前記二次電池の温度を上昇させてもよい。
【００１２】
好適には、前記二次電池を充電し、前記二次電池の温度が充電を停止する前記異常温度である場合には充電を停止する充電部を有してもよい。
【発明の効果】
【００１３】
本発明によれば、充電中に温度異常が発生した場合に、そのことをユーザに的確に知らせることができる。
【図面の簡単な説明】
【００１４】
【図１】図１は、本発明の第１の実施の形態に係る携帯電話機の外観図である。
【図２】図２は、図１の携帯電話機の主な回路構成を示すブロック図である。
【図３】図３は、図１の携帯電話機において、充電装置の回路構成を示す回路図である。
【図４】図４は、図３の充電ＩＣの動作状態と、制御入力端子および状態出力端子との関係を示す説明図である。
【図５】図５は、図３の充電制御部の処理を示すフローチャートである。
【図６】図６は、図３の充電制御部の状態入力端子の入力レベルと、制御出力端子の出力レベルとの関係図である。
【図７】図７は、図３の二次電池の検出温度と、状態通知制御回路の第１温度通知端子および第２温度通知端子との関係図である。
【図８】図８は、ＣＩＡＪ勧告のリチウムイオン電池の充電方式の説明図である。
【図９】図９は、図１の携帯電話機において、充電装置のＵＩ機能を示すブロック図である。
【図１０】図１０は、図９の充電状態判断部による充電状態判定処理の流れを示すフローチャートである。
【図１１】図１１は、図９の充電状態判断部（ＣＰＵ）の入力と判断結果との関係図である。
【図１２】図１２は、図９のログデータのデータ構造の一例を示す説明図である。
【図１３】図１３は、図９の表示制御部の処理を示すフローチャートである。
【図１４】図１４は、ログデータの内容と温度異常通知画面の表示制御との対応関係を示す説明図である。
【図１５】図１５は、温度異常検出時の充電装置の全体動作のタイミングチャートである。
【図１６】図１６は、満充電検出時の充電装置の全体動作のタイミングチャートである。
【図１７】図１７は、第２の実施の形態に係る携帯電話機において、充電装置の回路構成を示す回路図である。
【図１８】図１８は、第２の実施の形態に係る携帯電話機において、充電装置のＵＩ機能を示すブロック図である。
【図１９】図１９は、第２の実施の形態に係る携帯電話機において、充電状態判断部の判定処理を示すフローチャートである。
【発明を実施するための形態】
【００１５】
以下、本発明の実施形態を図面に関連付けて説明する。
【００１６】
（第１の実施の形態）
本発明の第１の実施の形態では、折り畳み型の携帯電話機１の充電装置を例に説明する。
【００１７】
［携帯電話機１の構成］
図１は、本発明の第１の実施の形態に係る携帯電話機１の外観図である。そして、携帯電話機１は、二次電池を充電する機能を有する。
携帯電話機１は、上部筐体２と、下部筐体３と、ヒンジ部４とを有する。ヒンジ部４は、上部筐体２と下部筐体３とを開閉可能に連結する。図１（Ａ）は携帯電話機１を開いた開状態である。図１（Ｂ）は携帯電話機１を閉じた閉状態である。
そして、上部筐体２には、図１（Ｂ）の閉状態においては外部に露出しない面に表示部１６が配置される。また、下部筐体３には、図１（Ｂ）の閉状態においては外部に露出しない面に操作部１２が配置される。
【００１８】
図２は、図１の携帯電話機１の主な回路構成を示すブロック図である。
携帯電話機１は、通信部１１、操作部１２、音声入出力部１３、ＣＰＵ（Central Processing Unit）１４、記憶部１５、表示部１６、撮像部１７、およびこれらを接続するシステムバス１８を有する。
【００１９】
表示部１６は、ＬＣＤ（Liquid Crystal Display Device）や有機ＥＬ（Electro-Luminescence）などを有する。
表示部１６は、ＣＰＵ１４からテキストデータまたは画像データを含む信号が入力されると、そのテキストまたは画像によりユーザに対する情報を表示する。
【００２０】
通信部１１は、無線通信システムを捕捉し、通信ネットワークの図示しない携帯電話機１用の基地局との間で無線通信を行い、各種のデータを送受信する。
また、通信部１１は、受信データを含む信号をＣＰＵ１４へ出力し、ＣＰＵ１４から送信データを含む信号が入力される。
【００２１】
音声入出力部１３は、スピーカおよびマイクロフォンに接続される。
音声入出力部１３は、マイクロフォンに入力された音声をサンプリングし、音響データを含む信号をＣＰＵ１４へ出力する。
また、音声入出力部１３は、ＣＰＵ１４から音響データを含む信号が入力されると、音響データに基づく音声をスピーカから出力する。
【００２２】
このように表示部１６、通信部１１または音声入出力部１３は、ＣＰＵ１４から入力されたデータに基づいて、表示、通信または音声により所定の報知を行う。
【００２３】
撮像部１７は、ＣＣＤ(Charge Coupled Device)やＣＭＯＳ(Complementary Metal Oxide Semiconductor)イメージセンサなどの光電変換素子を有する。
そして、撮像部１７は、光電変換素子が撮像した映像データを含む信号をＣＰＵ１４へ出力する。
【００２４】
操作部１２は、たとえば電源キー、通話キー、数字キー、文字キー、発信キーなどの各種の機能が割り当てられた操作キーを有する。
また、操作部１２は、これらのキーがユーザにより操作された場合、操作されたキーに対応する信号をＣＰＵ１４へ出力する。
【００２５】
記憶部１５は、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などにより構成される。
記憶部１５は、ＣＰＵ１４が実行するコンピュータのプログラム、および各種のデータを記憶する。記憶部１５は、たとえば後述する充電制御のためにログデータ３７、長周期ＴＬ、短周期ＴＳなどを記憶する。
なお、記憶部１５に記憶されるプログラムは、たとえばＣＤ−ＲＯＭ（Compact Disk Read Only Memory）などのコンピュータ読取可能な記録媒体に記憶されていたものをインストールしたものであればよい。また、プログラムは、インターネットなどの伝送媒体を介してダウンロードしてインストールしたものでもよい。
【００２６】
ＣＰＵ１４は、コンピュータの処理部として機能し、記憶部１５に格納されたプログラムを実行する。そして、ＣＰＵ１４は、携帯電話機１の全体的な動作を統括的に制御する。また、ＣＰＵ１４は、後述する充電制御を実行する。
なお、ＣＰＵ１４は、実行中のプログラムが無い場合、または実行負荷が低い場合、通常動作状態から低消費電力動作状態に切り替わる。
【００２７】
［充電装置２０の充電部］
図３は、図１の携帯電話機１における充電装置２０の回路構成を示す回路図である。
図３の充電装置２０は、図示外の充電器などが接続される充電器コネクタ２１、充電器検出回路２７、充電ＩＣ（Integrated Circuit）２２、二次電池２３、温度センサ２４、状態通知制御回路２５、ＣＰＵ１４を有する。
また、携帯電話機１で二次電池２３を充電する場合、ＣＰＵ１４には、充電制御部２６が実現される。
なお、図２および図３の回路は、二次電池２３とともに、携帯電話機１の上部筐体２および下部筐体３内に配設される。特に、ＣＰＵ１４は、二次電池２３とともに下部筐体３内に配設される。
【００２８】
充電器コネクタ２１は、第１外部端子２１−１と、第２外部端子２１−２とを有する。
第１外部端子２１−１は、充電ＩＣ２２の後述する電圧入力端子ＰＩＮに接続される。
第２外部端子２１−２は、グランド部に接続される。
これにより、充電器コネクタ２１に充電器などの電源が接続されると、直流電圧が充電ＩＣ２２に供給される。なお、充電器は、たとえば商用交流電源に接続して使用する。
【００２９】
充電器検出回路２７は、充電器コネクタ２１に接続される。
充電器検出回路２７は、充電器コネクタ２１への入力電圧を検出すると、ＣＰＵ１４へ充電器検出信号Ｓ２７を出力する。
【００３０】
二次電池２３は、充電ＩＣ２２の後述する充電端子ＰＯＵＴとグランド部との間に接続される。二次電池２３は、蓄電できる電池であればよく、たとえばリチウムイオン電池などがある。リチウムイオン電池は、充電時に温度による制御をしなくとも充電が可能な二次電池である。
【００３１】
充電ＩＣ２２は、複数の入出力端子を有する。入出力端子には、たとえば電圧入力端子ＰＩＮ、充電端子ＰＯＵＴ、制御入力端子ＣＩＮ、状態出力端子ＳＯがある。
充電端子ＰＯＵＴは、二次電池２３に接続される。そして、充電ＩＣ２２は、電圧入力端子ＰＩＮから入力される電力を変換し、充電端子ＰＯＵＴから出力する。二次電池２３は、充電ＩＣ２２の充電端子ＰＯＵＴから供給される電圧および電流により充電される。
また、充電ＩＣ２２は、ＩＣ内において、充電端子ＰＯＵＴの出力電圧（充電電圧）および出力電流（充電電流）を検出する。
【００３２】
図４は、充電ＩＣ２２の動作状態と、制御入力端子ＣＩＮおよび状態出力端子ＳＯとの関係を示す説明図である。充電ＩＣ２２の動作状態には、充電中状態、満充電状態、および停止状態がある。
【００３３】
制御入力端子ＣＩＮがローレベルである場合、充電ＩＣ２２は充電動作可能なイネーブル状態となる。そして、充電ＩＣ２２は、二次電池２３の充電状態に応じて充電中状態または満充電状態になる。
充電中状態では、充電ＩＣ２２は、二次電池２３を充電するために、充電端子ＰＯＵＴから二次電池２３へ所定の電圧Ｖｃ１および所定の電流Ｉｃ２を出力する。また、充電ＩＣ２２は、状態出力端子ＳＯをローレベルに制御する。
二次電池２３が充電されて二次電池２３の充電電圧が所定の満充電電圧Ｖｃ１以上になると、充電ＩＣ２２は、二次電池２３が満充電になったと判断し、満充電状態になる。満充電状態では、充電ＩＣ２２は、充電端子ＰＯＵＴからの充電電圧および充電電流の出力を停止する。また、充電ＩＣ２２は、状態出力端子ＳＯをハイレベルに制御する。
【００３４】
制御入力端子ＣＩＮがハイレベルである場合、充電ＩＣ２２は、充電ＩＣ２２を充電しないディスエーブル状態となり、動作を停止する。このとき、状態出力端子ＳＯは、たとえばローレベルであればよい。
【００３５】
ＣＰＵ１４は、複数の入出力端子を有する。入出力端子には、たとえば検出端子ＤＴＣＴ、制御出力端子ＣＯＵＴ、状態入力端子ＳＩ、および温度入力端子ＳＴＩＮがある。
検出端子ＤＴＣＴは、充電器検出回路２７に接続される。
制御出力端子ＣＯＵＴは、オア回路２８の入力端子に接続される。オア回路２８の出力端子は、充電ＩＣ２２の制御入力端子ＣＩＮに接続される。
状態入力端子ＳＩは、オア回路２９の出力端子に接続される。オア回路２９の入力端子は、充電ＩＣ２２の状態出力端子ＳＯに接続される。
温度入力端子ＳＴＩＮは、状態通知制御回路２５に接続される。
ＣＰＵ１４の充電制御部２６は、これらの入出力端子を用いて、充電ＩＣ２２による二次電池２３の充電を制御する。
【００３６】
図５は、図３の充電制御部２６が実行する充電制御の流れを示すフローチャートである。
充電制御部２６は、携帯電話機１の電源がオフ状態にあっても、携帯電話機１に充電器が接続されると起動し、図５の処理を実行する。
【００３７】
図５の充電制御において、充電制御部２６は、携帯電話機１が図示しない充電器に接続されたか否かを判断する（ステップＳ１）。
充電制御部２６は、たとえば充電器検出回路２７から充電器検出信号Ｓ２７が入力されたことに基づいて、携帯電話機１が充電器に接続されたと判断すればよい。
【００３８】
ステップＳ１において充電器が接続されたと判断すると、充電制御部２６は、後述する図９に示すログ記録部３５へ充電開始を通知する（ステップＳ２）。
なお、充電制御部２６は、たとえばＣＰＵ１４のプログラム間通信機能を用いて、ログ記録部３５へ充電開始を通知すればよい。
ログ記録部３５へ充電開始を通知した後、充電制御部２６は、充電状態を判断する（ステップＳ３）。
また、充電制御部２６は、判断した充電状態に応じて制御出力端子ＣＯＵＴを制御する（ステップＳ４，Ｓ５）。
【００３９】
図６は、充電制御部２６の状態入力端子ＳＩの入力レベルと、制御出力端子ＣＯＵＴの出力レベルとの関係図である。
図６に示すように、充電制御部２６の状態入力端子ＳＩがローレベルである場合、充電制御部２６は、制御出力端子ＣＯＵＴをローレベルに制御する。
また、充電制御部２６の状態入力端子ＳＩがハイレベルである場合、充電制御部２６は、制御出力端子ＣＯＵＴをハイレベルに制御する。
【００４０】
ステップＳ４またはＳ５において充電ＩＣ２２へ指示した後、充電制御部２６は、所定時間が経過することを待つ（ステップＳ６）。
このとき、充電制御部２６は、記憶部１５の後述する周期レジスタ３２から長周期ＴＬの時間を読み込み、この長周期ＴＬの時間が経過することを待つ。
そして、所定時間（長周期ＴＬの時間）が経過すると、充電制御部２６は、充電器が離脱されたか否かを判断する（ステップＳ７）。
充電制御部２６は、たとえば充電器検出回路２７から充電器検出信号Ｓ２７が入力されてない場合、充電器が離脱したと判断する。この場合、充電制御部２６は、再び充電器が接続されるまで、図５の充電処理を終了する。
【００４１】
充電器が携帯電話機１に接続されていて、充電器が離脱していない場合（ステップＳ７でＮｏの場合）、充電制御部２６は、ステップＳ３〜ステップＳ６の処理を繰り返し実行する。
これにより、充電制御部２６は、充電器が接続されている間は、所定の期間（長周期ＴＬの時間）毎に充電ＩＣ２２の動作状態を検出し、検出した動作状態に応じて充電ＩＣ２２の動作を制御する。
【００４２】
以上の図５の充電制御により、たとえば、充電制御部２６が、まず、制御出力端子ＣＯＵＴをハイレベルからローレベルに制御すると、充電ＩＣ２２はイネーブル状態になって充電動作を開始し、状態出力端子ＳＯをローレベルに制御する。
また、状態入力端子ＳＩがローレベルになると、充電制御部２６は、充電中であると判断し、制御出力端子ＣＯＵＴをローレベルに制御する。
これにより、制御出力端子ＣＯＵＴはローレベルに制御し続けられ、充電ＩＣ２２は充電し続けることができる。
【００４３】
また、二次電池２３が満充電になると、充電ＩＣ２２は満充電状態と判断し、状態入力端子ＳＩをハイレベルに制御する。
状態入力端子ＳＩがハイレベルになると、充電制御部２６は、満充電状態であると判断し、制御出力端子ＣＯＵＴをローレベルからハイレベルへ制御する。充電ＩＣ２２はディスエーブル状態になって停止する。
これにより、二次電池２３が満充電状態になると、充電ＩＣ２２による充電を停止することができる。
【００４４】
そして、以上の充電ＩＣ２２の充電動作および充電制御部２６の充電制御により、充電装置２０は、二次電池２３を満充電電圧Ｖｃ１まで充電できる。
【００４５】
図３に説明を戻す。
状態通知制御回路２５には、温度センサ２４が接続される。温度センサ２４は、二次電池２３の温度ＴＢを検出する。
また、状態通知制御回路２５は、第１温度通知端子ＳＴ１と、第２温度通知端子ＳＴ２とを有する。
第１温度通知端子ＳＴ１は、ＣＰＵ１４の状態入力端子ＳＩに接続されたオア回路２９の入力端子と、温度入力端子ＳＴＩＮとに接続される。
第２温度通知端子ＳＴ２は、充電ＩＣ２２の制御入力端子ＣＩＮに接続されたオア回路２８の入力端子に接続される。
【００４６】
図７は、二次電池２３の検出温度ＴＢと、第１温度通知端子ＳＴ１および第２温度通知端子ＳＴ２との関係図である。
なお、図７には、ＣＰＵ１４の状態入力端子ＳＩの入力レベル、充電制御部２６の判断内容、充電ＩＣ２２の制御入力端子ＣＩＮの入力レベル、充電ＩＣ２２の動作状態も併せて図示されている。
二次電池２３の検出温度ＴＢは、第１温度Ｔ１と第３温度Ｔ３と比較される。
第１温度Ｔ１および第３温度Ｔ３は、後述するようにＣＩＡＪ勧告における第１温度Ｔ１および第３温度Ｔ３である。
【００４７】
二次電池２３の検出温度ＴＢが第１温度Ｔ１より低い場合、状態通知制御回路２５は、第１温度通知端子ＳＴ１および第２温度通知端子ＳＴ２をハイレベルに制御する。
二次電池２３の検出温度ＴＢが第３温度Ｔ３より高い場合、状態通知制御回路２５は、第１温度通知端子ＳＴ１および第２温度通知端子ＳＴ２をハイレベルに制御する。
第１温度通知端子ＳＴ１がハイレベルに制御されると、オア回路２９を通じて、ＣＰＵ１４の状態入力端子ＳＩもハイレベルになる。このため、充電制御部２６は、満充電と判断する。
また、第２温度通知端子ＳＴ２がハイレベルに制御されると、オア回路２８を通じて、充電ＩＣ２２の制御入力端子ＣＩＮもハイレベルになる。このため、充電ＩＣ２２は、ディスエーブル状態となって停止する。
【００４８】
これに対して、二次電池２３の検出温度ＴＢが第１温度Ｔ１と第３温度Ｔ３との間の温度である場合、状態通知制御回路２５は、第１温度通知端子ＳＴ１および第２温度通知端子ＳＴ２をローレベルに制御する。
第１温度通知端子ＳＴ１がローレベルに制御されると、オア回路２９の出力レベルは、充電ＩＣ２２の状態出力端子ＳＯの電圧レベル（論理レベル）になる。そして、状態出力端子ＳＯがローレベルである場合、充電制御部２６は充電中と判断する。また、状態出力端子ＳＯがハイレベルである場合、充電制御部２６は満充電と判断する。
また、第２温度通知端子ＳＴ２がローレベルに制御されると、オア回路２８の出力レベルは、ＣＰＵ１４の制御出力端子ＣＯＵＴの電圧レベル（論理レベル）になる。そして、制御出力端子ＣＯＵＴがローレベルである場合、充電制御部２６は、イネーブル状態となって充電動作する。また、制御出力端子ＣＯＵＴがハイレベルである場合、充電制御部２６は、ディスエーブル状態となって停止する。
【００４９】
このように、図３の充電装置２０は、二次電池２３の検出温度ＴＢが第１温度Ｔ１より低い場合、または第３温度Ｔ３より高い場合、充電制御部２６に満充電と判断させ、充電ＩＣ２２を停止することができる。
また、図３の充電装置２０は、二次電池２３の検出温度ＴＢが第１温度Ｔ１と第３温度Ｔ３との間の温度である場合、充電制御部２６の制御の下で充電ＩＣ２２を充電動作させることができる。
【００５０】
図８は、ＣＩＡＪ（Communications Industries Association of Japan）により勧告されたリチウムイオン電池の充電方式の説明図である。
図８（Ａ）に示すように、ＣＩＡＪ勧告では、二次電池２３の検出温度が第１温度Ｔ１より低い場合には二次電池２３の充電を禁止し、第１温度Ｔ１から第２温度Ｔ２では第１充電電圧Ｖｃ１および第２充電電流Ｉｃ２で充電し、第２温度Ｔ２から第３温度Ｔ３では第１充電電圧Ｖｃ１および第１充電電流Ｉｃ１で充電し、第３温度Ｔ３から第４温度Ｔ４では第２充電電圧Ｖｃ２および第１充電電流Ｉｃ１で充電し、第４温度Ｔ４より高い場合には二次電池２３の充電を禁止する。
【００５１】
図８（Ｂ）は、図８（Ａ）のＣＩＡＪ勧告を図式化したものである。横軸は、二次電池２３の検出温度ＴＢ、右縦軸は充電電圧Ｖｃ、左縦軸は充電電流Ｉｃである。
図８（Ｂ）に示すように、第１充電電圧Ｖｃ１は、二次電池２３に充電可能な電圧であり、第２充電電圧Ｖｃ２は、第１充電電圧Ｖｃ１より低い電圧である。そして、図８（Ｂ）において左下がりのハッチング範囲Ａ１が、ＣＩＡＪで勧告された二次電池２３に充電電圧を印加してもよい範囲である。
また、第１充電電流Ｉｃ１は、二次電池２３に流してもよい充電電流であり、第２充電電流Ｉｃ２は、第１充電電流Ｉｃ１より低い電流である。そして、図８（Ｂ）において右下がりのハッチング範囲Ａ２が、ＣＩＡＪで勧告された二次電池２３に充電電流を流してもよい範囲になる。
【００５２】
そして、第１の実施の形態では、図８（Ａ）に示すように、二次電池２３の検出温度ＴＢが第１温度Ｔ１より低い場合には充電を停止し、第１温度Ｔ１から第２温度Ｔ２では第１充電電圧Ｖｃ１および第２充電電流Ｉｃ２で充電し、第２温度Ｔ２から第３温度Ｔ３では第１充電電圧Ｖｃ１および第２充電電流Ｉｃ２で充電し、第３温度Ｔ３から第４温度Ｔ４では充電を停止し、第４温度Ｔ４より高い場合には充電を停止する。
よって、第１の実施の形態の充電装置２０の充電方式は、ＣＩＡＪ勧告を満たす。
【００５３】
［充電装置２０のＵＩ部］
図９は、図１の携帯電話機１における充電装置２０のＵＩ（User Interface）機能を示すブロック図である。
図９の充電装置２０のＣＰＵ１４には、ログ記録部３５へ充電開始を通知する充電制御部２６の他に、充電状態判断部３１、周期レジスタT_REG３２、操作検出部３３、起動制御部３４、ログ記録部３５、および表示制御部３６が実現される。
また、記憶部１５には、ログデータ３７が記憶される。
【００５４】
充電状態判断部３１は、ＣＰＵ１４の状態入力端子ＳＩおよび温度入力端子ＳＴＩＮの入力に基づいて充電装置２０による充電状態を判断する。充電状態判断部３１は、判断結果をログ記録部３５へ出力する。充電状態判断部３１が判断する充電状態には、たとえば二次電池２３の温度エラー、温度復旧、満充電などがある。
【００５５】
図１０は、図９の充電状態判断部３１による判定処理を示すフローチャートである。
充電状態判断部３１は、携帯電話機１の電源がオフ状態にあっても、携帯電話機１に充電器が接続されると充電制御部２６とともに起動し、図１０の処理を実行する。
【００５６】
図１０の充電状態の判定処理において、充電状態判断部３１は、携帯電話機１が図示しない充電器に接続されたか否かを判断する（ステップＳ１１）。
ステップＳ１１において充電器が接続されたと判断すると、充電状態判断部３１は、充電状態を判断する（ステップＳ１２）。
また、充電状態判断部３１は、判断結果をログ記録部３５へ通知する（ステップＳ１３，Ｓ１４，Ｓ１５）。
【００５７】
図１１は、ＣＰＵ１４の入力状態と、充電状態判断部３１の判断結果との関係を示す図である。
充電状態判断部３１は、温度入力端子ＳＴＩＮがローレベルからハイレベルへ変化すると、温度エラーと判断する。そして、充電状態判断部３１は、温度エラーをログ記録部３５へ通知する（ステップＳ１３）。
また、温度入力端子ＳＴＩＮがハイレベルからローレベルへ変化すると、充電状態判断部３１は、温度復旧と判断する。そして、充電状態判断部３１は、温度復旧をログ記録部３５へ通知する（ステップＳ１４）。
また、温度入力端子ＳＴＩＮがローレベルであり、かつ、状態入力端子ＳＩがハイレベルであると、充電状態判断部３１は、満充電と判断する。そして、充電状態判断部３１は、満充電をログ記録部３５へ通知する（ステップＳ１５）。
【００５８】
ステップＳ１３からＳ１５の通知ステップにおいてログ記録部３５へ判断結果を通知した後、充電状態判断部３１は、所定時間が経過することを待つ（ステップＳ１６）。
このとき、充電状態判断部３１は、記憶部１５の周期レジスタ３２から長周期ＴＬの時間を読み込み、この長周期ＴＬの時間が経過することを待つ。
そして、所定時間（長周期ＴＬの時間）が経過すると、充電状態判断部３１は、充電器が離脱されたか否かを判断する（ステップＳ１７）。
充電器が離脱されている場合、充電状態判断部３１は、再び充電器が接続されるまで、図１０の充電状態の判断処理を終了する。
【００５９】
また、充電器が携帯電話機１に接続されていて、充電器が離脱していない場合（ステップＳ１７でＮｏの場合）、充電状態判断部３１は、ステップＳ１２〜ステップＳ１６の処理を繰り返し実行する。
これにより、充電状態判断部３１は、充電器が接続されている間は、所定の期間（長周期ＴＬの時間）毎に充電ＩＣ２２の動作状態を検出し、検出した動作状態に応じて充電ＩＣ２２の動作を制御する。
【００６０】
図９において、周期レジスタT_REG３２は、充電装置２０の動作周期として、たとえば長周期ＴＬの時間の値を保持する。
周期レジスタT_REG３２が記憶する動作周期の値は、充電制御部２６による図５の充電制御ループの繰り返し周期として用いられる。また、充電状態判断部３１による図９の状態判断ループの繰り返し周期として用いられる。
【００６１】
操作検出部３３は、操作部１２が操作された場合、操作検出通知をログ記録部３５へ通知する。
【００６２】
起動制御部３４は、たとえば操作部１２の電源キーが操作されて携帯電話機１が電源オン状態になると、操作検出部３３、表示制御部３６などを起動する。また、起動制御部３４は、電源オン通知をログ記録部３５へ通知する。
また、起動制御部３４は、たとえば操作部１２の電源キーが操作されて携帯電話機１が電源オフ状態になると、操作検出部３３、表示制御部３６などを停止する。また、起動制御部３４は、電源オフ通知をログ記録部３５へ通知する。
【００６３】
表示制御部３６は、表示部１６の表示内容を制御する。
表示制御部３６は、たとえば充電中に二次電池２３の温度が異常となった場合、温度異常通知画面を表示部１６に表示させる。そして、表示制御部３６は、温度異常の表示通知を、ログ記録部３５へ通知する。
また、表示制御部３６は、所定の条件が整うと、表示部１６による温度異常通知画面の表示を終了する。そして、表示制御部３６は、温度異常表示の終了通知を、ログ記録部３５へ通知する。
【００６４】
ログ記録部３５には、上述したＣＰＵ１４内の各部から、イベント通知が入力される。ログ記録部３５は、通知されたイベント内容を記憶部１５に蓄積する。
これにより、記憶部１５には、複数のイベント内容を蓄積したログデータ３７が生成される。
【００６５】
図１２は、図９のログデータ３７のデータ構造の一例を示す説明図である。
図１２において、各行は、イベント毎のレコードに対応する。レコードは、ログＩＤと、イベント内容を示す情報とを有する。
ログＩＤは、各レコードに固有の識別番号である。図１２では、古いレコードが下側であり、新しいレコードが上側になっている。そして、図１２において、古いレコードのログＩＤの値は、新しいレコードのログＩＤの値より小さい。
【００６６】
各レコードのイベント情報は、ＣＰＵ１４内の各部から通知されたイベントを示す情報である。
図１２のログデータ３７において、たとえば、イベント情報「CHRGE_OFF」は、充電制御部２６の充電終了通知に対応する。
「CHRGE_START」は、充電制御部２６の充電開始通知に対応する。
「POWER_ON」は、起動制御部３４の電源オン通知に対応する。
「T_ERROR」は、充電状態判断部３１の温度異常通知に対応する。
「T_RECOVER」は、充電状態判断部３１の温度復旧通知に対応する。
「MAN_OPERATION」は、操作検出部３３の操作検出通知に対応する。
「CHRGE_FULL」は、充電状態判断部３１の満充電通知に対応する。
【００６７】
［温度異常通知画面の表示制御］
次に、図１の携帯電話機１における充電装置２０の表示制御について説明する。
図１３は、図９の表示制御部３６の表示制御の流れを示すフローチャートである。
図１３の表示制御により、表示制御部３６は、温度異常通知画面の表示を制御する。
【００６８】
表示制御部３６は、起動されると、ログデータ３７を読み込む（ステップＳ２１）。
表示制御部３６は、読み込んだログデータ３７の内容を解析し、温度異常通知画面の表示要否を判断する（ステップＳ２２）。
ステップＳ２２において温度異常通知画面を表示する必要があると判断した場合、表示制御部３６は、温度異常通知画面を表示部１６に表示させる（ステップＳ２３）。
【００６９】
ステップＳ２２において温度異常通知画面を表示する必要がないと判断した場合、表示制御部３６は、さらに当該画面を表示中か否かを判断する（ステップＳ２４）。
そして、当該画面を表示している場合には、表示制御部３６は、温度異常通知画面の表示を終了する。これにより、表示部１６に表示されていた温度異常通知画面が消去される（ステップＳ２５）。
【００７０】
また、ステップＳ２４において温度異常通知画面の表示中ではないと判断した場合、表示制御部３６は、表示部１６の表示を変更することなく処理を終了する。
【００７１】
表示部１６による温度異常通知画面の表示を制御した後、表示制御部３６は、ログデータ３７が更新されたか否かを判断する。
ログデータ３７が更新されていない場合、表示制御部３６は、ログデータ３７の更新待ち状態となる（ステップＳ２６）。
なお、表示制御部３６は、たとえばログ記録部３５からのログデータ３７の更新通知により、ログデータ３７が更新されたか否かを判断すればよい。
【００７２】
そして、ログデータ３７が更新された場合、表示制御部３６は、ステップＳ２１からＳ２５までの処理を繰り返す。
これにより、表示部１６には、ログデータ３７の内容に応じて温度異常通知画面の表示を制御する。
【００７３】
図１４は、ログデータ３７の内容と、温度異常通知画面の表示との対応関係を示す説明図である。
【００７４】
図１４に示すように、充電装置２０は、温度異常通知画面の表示に関するステータスとして、起動ステータスＳＣ１、表示ステータスＳＣ２および非表示ステータスＳＣ３を有する。
起動ステータスＳＣ１は、充電装置２０の表示制御部３６が起動された状態である。
表示ステータスＳＣ２は、充電装置２０の表示部１６に温度異常通知画面を表示した状態である。
非表示ステータスＳＣ３は、充電装置２０の表示部１６に温度異常通知画面を表示しない状態である。
【００７５】
充電装置２０の表示制御部３６が起動されると、充電装置２０のステータスは、まず、起動ステータスＳＣ１になる。
そして、表示制御部３６が図１３の表示制御を実行し、起動前の温度異常ログデータの有無を判断する。
なお、起動前の温度異常検出の有無は、たとえば図１２において充電終了通知を含むレコードよりＩＤ（００９９）の値が大きいレコードについて調べ、「T_ERROR」を含むレコードの有無を判断すればよい。
【００７６】
そして、起動前の温度異常ログデータがログデータ３７に含まれていると判断すると（Ｊ１）、充電装置２０は表示ステータスＳＣ２になる。
また、起動前の温度異常ログデータがログデータ３７に含まれていないと判断すると（Ｊ２）、充電装置２０は非表示ステータスＳＣ３になる。
【００７７】
非表示ステータスＳＣ３において、ログデータ３７に起動後の最初の温度異常ログデータ「T_ERROR」が含まれると（Ｊ３）、充電装置２０は表示ステータスＳＣ２になる。
これに対して、２個回目以降の温度異常ログデータ「T_ERROR」がログデータ３７に新たに含まれても（Ｊ６）、充電装置２０は非表示ステータスＳＣ３を維持する。
【００７８】
表示ステータスＳＣ２において、ログデータ３７に新たに操作検出ログデータ「MAN_OPERATION」が含まれると（Ｊ４）、充電装置２０は非表示ステータスＳＣ３になる。
また、ログデータ３７に新たに満充電検出ログデータ「CHRGE_FULL」が含まれると（Ｊ５）、充電装置２０は非表示ステータスＳＣ３になる。
これに対して、ログデータ３７に新たに温度復旧ログデータ「T_RECOVER」が含まれても（Ｊ７）、充電装置２０は表示ステータスＳＣ２を維持する。
【００７９】
［充電装置２０の全体動作］
図１５および図１６は、充電装置２０の全体的な動作を示すタイミングチャートである。
図１５（Ａ）は、充電装置２０（携帯電話機１）の電源オンオフ信号の波形である。図１５（Ｂ）は、操作検出部３３による操作検出通知信号の波形である。図１５（Ｃ）は、充電状態検出部３１による温度異常検出通知信号の波形である。図１５（Ｄ）は、ログデータ３７の更新信号の波形である。図１５（Ｅ）は、表示制御部３６による温度異常表示用の出力信号の波形である。
また、図中のｔ１からｔ２１は、イベントの発生タイミングを示す。
【００８０】
［タイミングｔ１〜ｔ６について］
充電装置２０（携帯電話機１）は、タイミングｔ１でオン状態になる。充電状態検出部３１は、タイミングｔ２で温度異常検出を通知する。これらのイベントは、ログデータ３７に蓄積される。そして、表示制御部３６は、タイミングｔ２で異常温度検出を表示する。
その後、タイミングｔ３で充電状態検出部３１が温度復旧を通知するが、表示制御部３６は、異常温度検出の表示を継続する。
これに対して、タイミングｔ４において操作検出部３３が操作検出を通知すると、表示制御部３６は、異常温度検出表示を終了する。
さらにその後のタイミングｔ５において充電状態検出部３１が再び温度異常検出を通知するが、表示制御部３６は、異常温度検出を表示しない。
【００８１】
［タイミングｔ７〜ｔ１４について］
充電装置２０（携帯電話機１）は、タイミングｔ７においてオフ状態になる。オフ期間中のタイミングｔ８において、充電状態検出部３１は、温度異常検出を通知する。また、タイミングｔ９において、充電状態検出部３１は、温度復旧を通知する。
このように電源のオフ期間において温度異常が検出された場合、タイミングｔ１０で充電装置２０（携帯電話機１）が再び電源オン状態になると、表示制御部３６は、異常温度検出を表示する。
その後、タイミングｔ１１で操作検出部３３が操作検出を通知すると、表示制御部３６は、異常温度検出表示を終了する。
さらにその後のタイミングｔ１２において充電状態検出部３１が再び温度異常検出を通知するが、表示制御部３６は、異常温度検出を表示しない。
【００８２】
［タイミングｔ１５〜ｔ２１について］
表示制御部３６は、タイミングｔ１６で異常温度検出を表示する。表示制御部３６は、タイミングｔ１７において、操作検出部３３の操作検出通知に基づいて異常温度検出表示を終了する。
そして、タイミングｔ１７の操作検出部３３の操作検出通知の後にも表示制御部３６が異常温度を検出し続けている場合、表示制御部３６は、電源がオン状態になる度に、異常温度検出を表示する（タイミングｔ１９、ｔ２１）。
【００８３】
［タイミングｔ３１〜ｔ３２について］
図１６（Ａ）は、充電状態検出部３１による満充電通知信号の波形である。図１６（Ｂ）は、ログデータ３７の更新信号の波形である。図１５（Ｅ）は、表示制御部３６による温度異常表示用の出力信号の波形である。
タイミングｔ３１において表示制御部３６が異常温度検出を表示した後、タイミングｔ３２において充電状態検出部３１が満充電を通知すると、表示制御部３６は、異常温度検出の表示を終了する。
【００８４】
以上のように、第１の実施の形態では、充電中に二次電池２３の温度異常が発生すると、表示部１６に異常温度検出を通知する画面が表示される。
また、この異常温度検出の通知画面は、二次電池２３の検出温度が正常温度に復旧しても消去されず、ユーザが操作部１２を操作することにより消去される。
よって、ユーザが操作部１２を操作するまで、充電中に温度異常が発生したことが表示されるので、そのことをユーザに知らせることができる。
そして、充電中の温度異常検出により充電が停止し、充電が完了できなかった場合には、温度異常より充電が未完了であることを確実に知らせることができる。
【００８５】
また、充電の度に温度異常より充電が未完了になる場合、この通知が繰り返し表示される。よって、ユーザに充電に適した環境を自然に学習させ、ＣＩＡＪ勧告に従った適切な環境下で充電をさせるように仕向けることができる。
【００８６】
また、第１の実施の形態では、１回の充電においては、ユーザが操作により異常温度検出の通知画面を消去した後は、温度異常が再び検出されても、当該画面を再度表示しない。
よって、ユーザにより既に温度異常が認識されている場合に、通知表示を何度も表示してユーザを煩わせることはない。
【００８７】
また、第１の実施の形態では、満充電が検出された場合には、異常温度検出の通知画面が自動的に消去される。よって、異常温度検出の通知画面は、充電が未完了の場合にのみ表示され続けることになる。
これにより、充電が完了した場合には、ユーザに通知画面を消去させる操作をさせないようにすることができる。ユーザの利便性を向上できる。
【００８８】
（第２の実施の形態）
第２の実施の形態に係る携帯電話機１は、基本的なハードウェア構成およびソフトウェア構成は第１の実施の形態に係る携帯電話機１と同じである。
以下は、相違点を説明する。
【００８９】
図１７は、第２の実施の形態に係る携帯電話機１において、充電装置２０の回路構成を示す回路図である。
図１７に示す状態通知制御回路２５は、低温検出出力端子ＳＴ３を有する。
状態通知制御回路２５は、二次電池２３の検出温度ＴＢが第１温度Ｔ１より低い場合、低温検出出力端子ＳＴ３をハイレベルへ制御する。これ以外の場合、状態通知制御回路２５は、低温検出出力端子ＳＴ３をローレベルへ制御する。
また、ＣＰＵ１４の充電制御部２６は、低温検出入力端子ＴＩＮを有する。低温検出入力端子ＴＩＮは、低温検出出力端子ＳＴ３に接続される。
【００９０】
図１８は、第２の実施の形態に係る携帯電話機１において、充電装置２０のＵＩ機能を示すブロック図である。
図１８に示す充電状態判断部３１は、周期レジスタT_REG３２の値を更新する。
具体的には、低温検出入力端子ＴＩＮがローレベルである場合、充電状態判断部３１は、第１の実施の形態と同様に、周期レジスタT_REG３２に長周期ＴＬを記憶させる。
低温検出入力端子ＴＩＮがハイレベルである場合、充電状態判断部３１は、長周期ＴＬより短い時間である短周期ＴＳを周期レジスタT_REG３２に記憶させる。
なお、この周期レジスタT_REG３２に記憶される所定の周期は、充電制御部２６による図５の充電制御ループの繰り返し周期として用いられる。また、充電状態判断部３１による図９の状態判断ループの繰り返し周期として用いられる。
【００９１】
図１９は、第２の実施の形態に係る携帯電話機１において、充電状態判断部３１の充電状態の判定処理の流れを示すフローチャートである。
図１９において、充電状態判断部３１は、充電状態を判断し（ステップＳ１２）、判断結果をログ記録部３５へ通知した後（ステップＳ１３，Ｓ１４，Ｓ１５）、低温検出入力端子ＴＩＮがハイレベルであるか否かを判断する（ステップＳ３１）。
【００９２】
二次電池２３の検出温度ＴＢが第１温度Ｔ１より低く、低温検出入力端子ＴＩＮがハイレベルである場合、充電状態判断部３１は、短周期ＴＳを周期レジスタT_REG３２に記憶させる（ステップＳ３２）。
二次電池２３の検出温度ＴＢが第１温度Ｔ１以上であり、低温検出入力端子ＴＩＮがローレベルである場合、充電状態判断部３１は、長周期ＴＬを周期レジスタT_REG３２に記憶させる（ステップＳ３２）。
【００９３】
その後、充電状態判断部３１は、所定時間が経過することを待つ（ステップＳ１６）。
このとき、充電状態判断部３１は、記憶部１５の周期レジスタ３２から短周期ＴＳまたは長周期ＴＬの時間を読み込み、この周期の時間が経過することを待つ。
そして、所定時間の経過後に充電器が携帯電話機１に接続されている場合、充電状態判断部３１は、ステップＳ１２〜Ｓ１６およびＳ３１〜Ｓ３３の処理を繰り返す。
また、図５に示すように、充電制御部２６も、周期レジスタ３２に記憶されている周期で、ステップＳ３〜Ｓ６の充電制御処理を繰り返す。
【００９４】
以上のように、第２の実施の形態では、二次電池２３の検出温度ＴＢが第１温度Ｔ１より低いために、周期レジスタ３２に短周期ＴＳが記憶されると、充電状態判断部３１および充電制御部２６は、通常の長周期ＴＬより短い周期で処理を繰り返す。
そのため、ＣＰＵ１４の処理負荷が高くなる。また、単位時間当たりに、ＣＰＵ１４が通常動作状態から低消費電力動作状態に切り替わる時間が減る。
このようにＣＰＵ１４の単位時間当たりの通常動作期間が増えることにより、ＣＰＵ１４の発熱量が増える。その結果、携帯電話機１の内部温度が上昇する。
また、ＣＰＵ１４と同じ下部筐体３内に配設された二次電池２３の温度も上昇する。二次電池２３の検出温度ＴＢは、第一温度Ｔ１より高くなる。
【００９５】
これにより第２の実施の形態は、二次電池２３の温度を上昇させるための発熱部材などのハードウェアを追加することなく、二次電池２３を充電可能な温度を確保し、第１温度Ｔ１より低い温度の低温環境下であっても二次電池２３を充電することができる。
【００９６】
以上の各実施形態は、本発明の好適な実施形態であるが、本発明は、これに限定されることなく、種々の変形または変更が可能である。
【００９７】
たとえば、上記各実施形態では、充電装置２０が携帯電話機１に組み込まれているが、充電装置２０は、ＰＤＡ（Personal Data Assistant）、携帯ゲーム機器などに組み込まれてもよい。
【００９８】
上記各実施形態では、充電装置２０は、ＣＩＡＪ勧告の第１温度Ｔ１および第３温度Ｔ３において充電状態および表示状態を制御しているが、第４温度Ｔ４または第２温度Ｔ２においても充電状態および表示状態を制御するようにしてもよい。また、充電装置２０は、第１温度Ｔ１と第４温度Ｔ４において、充電状態および表示状態を制御するようにしてもよい。
【００９９】
また、上記各実施形態では、充電ＩＣ２２は、充電ＩＣ２２が二次電池２３を充電する状態を示す状態通知制御信号を出力している。この他にもたとえば、充電ＩＣ２２は、二次電池２３の充電電圧を検出し、二次電池２３の充電状態を示す状態通知制御信号を出力してもよい。
【０１００】
また、上記第２の実施の形態において、充電状態判断部３１は、充電制御ループの繰り返し周期を長周期ＴＬから短周期ＴＳへ変更することでＣＰＵ１４の処理負荷を増やし、これにより二次電池２３の温度を上昇させている。この他にもたとえば、充電状態判断部３１は、ＣＰＵ１４の動作周波数を上げて、二次電池２３の温度を上昇させてもよい。
【符号の説明】
【０１０１】
１・・・携帯電話機、３・・・下部筐体（筐体）、１２・・・操作部、１４・・・ＣＰＵ（処理回路）、１５・・・記憶部、１６・・・表示部、２０・・・充電装置、２２・・・充電ＩＣ（充電部）、２３・・・二次電池、３１・・・充電状態判断部、３６・・・表示制御部、３７・・・ログデータ
【図１】
2010200509.tif 000003
【図２】
2010200509.tif 000004
【図３】
2010200509.tif 000005
【図４】
2010200509.tif 000006
【図５】
2010200509.tif 000007
【図６】
2010200509.tif 000008
【図７】
2010200509.tif 000009
【図８】
2010200509.tif 000010
【図９】
2010200509.tif 000011
【図１０】
2010200509.tif 000012
【図１１】
2010200509.tif 000013
【図１２】
2010200509.tif 000014
【図１３】
2010200509.tif 000015
【図１４】
2010200509.tif 000016
【図１５】
2010200509.tif 000017
【図１６】
2010200509.tif 000018
【図１７】
2010200509.tif 000019
【図１８】
2010200509.tif 000020
【図１９】
2010200509.tif 000021